(57)【要約】【課題】操作部のデザイン自由度や操作性を向上させることができる電話機を提供する。【解決手段】親機と当該親機の載置部に載置可能な子機とを有する親子電話機において、子機は、親機の載置部に載置された際にユーザから視認可能な位置に親機用表示部が設けられているとともに、当該親機表示部に親機で生成された表示情報を受信し表示する。【選択図】図３
2011087062.tif 000002
【特許請求の範囲】
【請求項１】
電話回線に接続された親機と、当該親機を介して通話相手と通話可能であって、且つ、当該親機に設けられた載置部に載置可能な子機とを有する親子電話機であって、
前記子機は、
前記載置部に載置された際にユーザから視認可能な位置に表示部が設けられているとともに、
前記表示部に情報を表示するための元データを受信する受信手段と、
前記受信した元データに基づいて前記表示部に情報を表示させる表示制御手段と、
を備え、
前記親機は、
前記元データを生成する生成手段と、
前記生成した元データを前記受信手段に対して送信する送信手段と、
を備えることを特徴とする親子電話機。
【請求項２】
請求項１に記載の親子電話機であって、
前記子機の正面に受話口及び送話口が設けられているとともに、
前記子機の背面に前記表示部が設けられていることを特徴とする親子電話機。
【請求項３】
請求項１に記載の親子電話機であって、
前記子機の正面に受話口、送話口及び前記表示部が設けられていることを特徴とする親子電話機。
【請求項４】
請求項１乃至請求項３の何れか一項に記載の親子電話機であって、
前記送信手段及び前記受信手段は、前記元データを無線通信により送受信することを特徴とする親子電話機。
【請求項５】
請求項４に記載の親子電話機であって、
前記無線通信は赤外線通信であることを特徴とする親子電話機。
【請求項６】
請求項１乃至請求項３の何れか一項に記載の親子電話機であって、
前記送信手段及び前記受信手段は、夫々接触端子を有し、当該接触端子を介して前記元データを送受信することを特徴とする親子電話機。
【請求項７】
請求項１乃至請求項６の何れか一項に記載の親子電話機における前記子機。
【請求項８】
受話器と、
前記受話器を載置するための載置部と、
情報を表示する表示部と、
前記表示部に情報を表示するための元データを生成する生成手段と、
前記生成された元データに基づいて前記表示部に情報を表示させる表示制御手段と、
を備える電話機であって、
前記表示部は、前記受話器における、当該受話器が前記載置部に載置された際にユーザから視認可能な位置に設けられていることを特徴とする電話機。
【発明の詳細な説明】
【技術分野】
【０００１】
本願は、電話機に関する。
【背景技術】
【０００２】
従来、電話機には表示部が設けられており、表示部は、ユーザが電話機の機能を利用する際に必要な情報（例えば、電話帳に登録されている相手先の名称及び電話番号等）や、日常生活においてユーザにとって有用な情報（例えば、現在日時情報）などを表示する。
【０００３】
また、表示部は各種ボタンからなる操作部とともに電話機本体に配されており、これらがどのように配置されるかによって電話機のデザインや操作性が決定付けられる。一方、電話機を使用する多くのユーザからはデザイン性や操作性に優れた電話機を求められている。そこで、電話機本体から表示部を取り除くことができれば、その分だけ操作部のデザイン自由度を向上させたり、操作部を構成する各種ボタンを大きくすることにより操作性を向上させたりすることができる。
【０００４】
そうした中、電話機の表示部で表示すべき情報をテレビなどの表示装置に表示させる技術が考案されている。例えば、特許文献１には、電話機の表示部に情報を表示するための表示データを映像データに変換した上で電話機からテレビ等の表示装置に出力するデータ変換装置が記載されている。このデータ変換装置を用いれば、電話機本体に表示部を設けなくてもよいことから、電話機本体における操作部のデザイン自由度や操作性を向上させることができる。
【先行技術文献】
【特許文献】
【０００５】
【特許文献１】特開平６−２８４２２６号公報
【発明の概要】
【発明が解決しようとする課題】
【０００６】
しかしながら、特許文献１に記載のデータ変換装置を用いる場合には、電話機とは別個に表示装置を用意しなければならず、電話機の設置場所が限定されてしまう等の問題が発生し得る。
【０００７】
本願は、上記問題点に鑑みてなされたものであり、その課題の一例は、電話機とは別個の表示装置を必要とせず、且つ、電話機本体における操作部のデザイン自由度や操作性を向上させることができる電話機を提供することにある。
【課題を解決するための手段】
【０００８】
請求項１に記載の発明は、電話回線に接続された親機と、当該親機を介して通話相手と通話可能であって、且つ、当該親機に設けられた載置部に載置可能な子機とを有する親子電話機であって、前記子機は、前記載置部に載置された際にユーザから視認可能な位置に表示部が設けられているとともに、前記表示部に情報を表示するための元データを受信する受信手段と、前記受信した元データに基づいて前記表示部に情報を表示させる表示制御手段と、を備え、前記親機は、前記元データを生成する生成手段と、前記生成した元データを前記受信手段に対して送信する送信手段と、を備えることを特徴とする。
【０００９】
請求項７に記載の発明は、請求項１乃至請求項６の何れか一項に記載の親子電話機における前記子機である。
【００１０】
請求項８に記載の発明は、受話器と、前記受話器を載置するための載置部と、情報を表示する表示部と、前記表示部に情報を表示するための元データを生成する生成手段と、前記生成された元データに基づいて前記表示部に情報を表示させる表示制御手段と、を備える電話機であって、前記表示部は、前記受話器における、当該受話器が前記載置部に載置された際にユーザから視認可能な位置に設けられていることを特徴とする。
【図面の簡単な説明】
【００１１】
【図１】第１実施形態におけるコードレス親子電話機１の外観図である。
【図２】第１実施形態における子機１５０の外観図である。（ａ）は正面外観図である。（ｂ）は背面外観図である。
【図３】第１実施形態におけるコードレス親子電話機１のブロック図である。
【図４】第１実施形態における子機１５０の動作例を示すフローチャートである。
【図５】第２実施形態におけるコードレス親子電話機１Ｂのブロック図である。
【図６】第２実施形態における子機１５０Ｂの動作例を示すフローチャートである。
【図７】第３実施形態における電話機２のブロック図である。
【発明を実施するための形態】
【００１２】
以下、本発明の実施形態について説明する。なお、従来、コードレス親子電話機の親機に設けられていた表示部を子機に移設した実施形態を第１実施形態、第２実施形態として説明し、電話機本体に設けられていた表示部を受話器に移設した実施形態を第３実施形態として説明する。
【００１３】
［第１実施形態］
まず、第１実施形態について図１等を用いて説明する。図１はコードレス親子電話機１の外観図であり、図２は子機１５０の外観図であり、図３はコードレス親子電話機１のブロック図である。
【００１４】
図１に示すように、コードレス親子電話機１は、親機１００と、親機１００の載置部に載置可能な子機１５０とを有する。親機１００は公衆交換電話網（ＰＳＴＮ）などの外部の電話回線網（電話回線ともいう）に接続されている。子機１５０は親機１００と無線接続されており、親機１００を介して電話回線網を経由して相手先電話機（通話相手）と通話可能となっている。親機１００には、ユーザがコードレス親子電話機１の備える各種機能を利用する際に当該各種機能に対応する指示を入力するために用いる操作部１０４が設けられている。また、親機１００にはいわゆる受話器が設けられておらず、無線接続された子機１５０が受話器の役割を果たす。子機１５０は背面（裏面）に親機用表示部１０８を有しており、子機１５０が親機１００の載置部に載置された際に、ユーザが親機用表示部１０８に表示される情報を視認できるようになっている。
【００１５】
図２（ａ）に示すように、子機１５０の正面（表面）には、受話口１５７ａ、子機用表示部１５４、ダイヤルキー１５５ａ、保留キー１５５ｅ、呼出キー１５５ｆ、選択／決定キー１５５ｄ、通話キー１５５ｂ、終話キー１５５ｃ、送話口１５６ａが設けられている。また、受話口１５７ａの内部にはレシーバ１５７が設けられており、送話口１５６ａの内部にはマイクロフォン１５６が設けられている。子機１５０の上部側面部には、幅方向中央の位置に赤外線受信部１０６が設けられている。なお、以下、ダイヤルキー１５５ａ、保留キー１５５ｅ、呼出キー１５５ｆ、選択／決定キー１５５ｄ、通話キー１５５ｂ、終話キー１５５ｃを総称して操作部１５５という場合がある。また、子機１５０の操作部１５５が設けられている正面側の面を「操作面」という場合がある。
【００１６】
図２（ｂ）に示すように、子機１５０の背面には親機用表示部１０８が設けられている。親機用表示部１０８に表示される情報（以下、「親機用表示情報」という。）は、従来の親機に設けられていた表示部で表示していた情報と同様の情報である。
【００１７】
具体的には、親機用表示情報は、電話帳情報（後述する電話帳メモリ１０３に登録されている電話番号及び名称等を示す情報）、現在日時情報（後述する主制御部１０１が管理する現在日時情報）、設定情報（留守番電話機能、特定番号ガード機能、公衆電話ガード機能、非通知ガード機能、表示圏外ガード機能又はナンバーディスプレイ機能など各種機能の設定がＯＮ状態か又はＯＦＦ状態かを示す情報）、親機状態情報（通話保留中であるか否かを示す情報など）、着信／発信履歴情報（着信／発信相手の名称と電話番号等を示す情報。併せて通話開始時刻、通話終了時刻又は通話時間の少なくとも何れか一方を表示してもよい。）、各種設定用情報（操作部１０４に対するユーザの操作により、留守番電話機能、特定番号ガード機能、公衆電話ガード機能、非通知ガード機能、表示圏外ガード機能、着信音種別、子機１５０以外の子機からの呼出音種別、着信音又は呼出音の音量レベル、親機用表示部１０８のコントラストなどを設定させるための情報。例えば、各種設定画面）、ナンバーディスプレイ情報（着信時に相手先の電話番号等を示す情報）、などである。
【００１８】
ここで、特定番号ガード機能、公衆電話ガード機能、非通知ガード機能及び表示圏外ガード機能などの各ガード機能とは、それぞれ条件に該当する電話機から着信があった場合に、ユーザが所定のガード実行操作（例えば、所定のダイヤルキー１５５ａを押下する操作）を行うことにより、相手先に応答できない旨を通知する機能である。例えば、公衆電話ガード設定がＯＮ状態である場合において、公衆電話から着信があった場合に、ユーザがガード実行操作を行うと、相手先に、「都合によりおつなぎすることができません」という音声メッセージが伝えられる。
【００１９】
図３に示すように、親機１００は、主制御部１０１、無線部１０２、電話帳メモリ１０３、操作部１０４及び赤外線送信部１０５を有する。
【００２０】
主制御部１０１は、ＣＰＵを中心に構成され、ＲＯＭ、ＲＡＭなどのメモリを備えており、ＣＰＵがＲＯＭに格納されている各種制御プログラムを読み出し、必要に応じてＲＡＭを使用しつつ、プログラムを実行することにより、親機１００の各種制御や、子機１５０における表示制御部１０７及び親機用表示部１０８の制御を行う。
【００２１】
具体的には、主制御部１０１は、電話回線網から外部着信信号を検出すると、外線との回線接続を制御するとともに、着信音をスピーカ（図示しない）から発音させる。次いで、主制御部１０１は、相手先の電話機と通話状態とすると、以降、通話状態において電話回線網を介して受信した受信信号を音声信号に変換し、当該音声信号を無線部１０２を介して子機１５０に送信する。一方、子機１５０からユーザの発話に基づく音声信号を無線部１０２を介して受信すると、音声信号を電話回線網で通信可能な形式に変換した上で相手先の電話機に送信する。
【００２２】
また、主制御部１０１は、子機１５０の親機用表示部１０８に上述した各種親機用表示情報を表示するための元データを赤外線送信部１０５から赤外線データとして送信し続ける。元データの内容は、ユーザの操作等によって適宜変化する。例えば、外線通話を終了させた場合には、予め設定された情報（例えば、現在日時情報）を表示させるための元データを送信する。また、ユーザにより電話帳を表示させるための操作が行われた場合には、電話帳情報を表示させるための元データを送信する。
【００２３】
無線部１０２は、主制御部１０１の制御の下、マルチチャンネルアクセス方式によって子機１５０との間に無線による通話リンクを確立させて、通話状態においてアンテナを介して音声信号等を送受信する。なお、無線部１０２は、子機１５０との間で音声信号等を送受信する場合に、公知の盗聴防止技術を用いる。
【００２４】
電話帳メモリ１０３は、例えば、フラッシュメモリなどで構成され、ユーザによる電話帳登録操作に基づいて、電話番号を名称等と対応付けて記憶する。電話帳メモリ１０３に登録された情報は、ユーザの操作に基づいて、子機１５０の親機用表示部１０８に表示される。
【００２５】
操作部１０４は、数字や文字の入力などを行うためのダイヤルキー、通話の保留などを行うための保留キー、子機１５０以外の子機（図示しない）の呼出などを行うための呼出キー、電話帳の登録／検索や各種モードの設定を行うための選択／決定キーなどから構成される。これらの各種キーが操作されると操作されたキー種別を示す信号が主制御部１０１に送信される。主制御部１０１は、当該信号に応じて制御プログラムを実行することにより操作内容を判別し、操作内容に応じた機能を実現させるための処理を実行する。
【００２６】
赤外線送信部１０５は、子機１５０が親機１００の載置部に載置された際に、子機１５０の赤外線受信部１０６が当該赤外線送信部１０５から出力された赤外線を受光可能な位置に設けられている。なお、赤外線送信部１０５から赤外線受信部１０６への赤外線データの送信方式は、任意の方式を採用することができ、勿論、ＩｒＤＡ（Infrared Data Association）が定めた規格を採用することもできる。
【００２７】
一方、子機１５０は、主制御部１５１、無線部１５２、電話帳メモリ１５３、子機用表示部１５４、操作部１５５、マイクロフォン１５６、レシーバ１５７、赤外線受信部１０６、表示制御部１０７及び親機用表示部１０８を有する。
【００２８】
主制御部１５１は、ＣＰＵを中心に構成され、ＲＯＭ、ＲＡＭなどのメモリを備えており、ＣＰＵがＲＯＭに格納されている各種制御プログラムを読み出し、必要に応じてＲＡＭを使用しつつ、プログラムを実行することにより、子機１５０の各種制御を行う。
【００２９】
具体的には、主制御部１５１は、親機１００を介して相手先の電話機と通話状態となると、親機１００から受信した音声信号（電話相手の音声信号）を受信し、その音声信号をアナログ信号に変換した上でレシーバ１５７から出力させる。また、主制御部１５１は、マイクロフォン１５６により集音されたユーザの発話音声を取り込み、音声信号に変化した上で無線部１５２を介して親機１００に送信する。
【００３０】
無線部１５２は、主制御部１５１の制御の下、マルチチャンネルアクセス方式によって親機１００との間に無線による通話リンクを確立させて、アンテナを介して音声信号等を送受信する。また、上述したように、無線部１５２は、親機１００との間で音声信号等を送受信する場合に、公知の盗聴防止技術を用いる。
【００３１】
電話帳メモリ１５３は、フラッシュメモリなどで構成され、ユーザによる電話帳登録操作に基づいて、電話番号を名称等と対応付けて記憶する。電話帳メモリ１５３に登録された情報は、ユーザの操作に基づいて、子機用表示部１５４に表示される。なお、本実施形態においては、親機１００の電話帳メモリ１０３と、子機１５０の電話帳メモリ１５３は、それぞれ別個に管理される。
【００３２】
子機用表示部１５４は、液晶表示装置などで構成され、主制御部１５１の制御の下、子機１５０の利用に際し必要な情報又は有用な情報を表示する。子機用表示部１５４に表示される情報は、従来、子機に設けられた表示部で表示していた情報と同様の情報である。
【００３３】
具体的には、電話帳情報（電話帳メモリ１５３に登録されている電話番号及び名称等を示す情報）、現在日時情報（主制御部１５１が管理する現在日時情報）、受信感度情報、各種設定用情報（操作部１５５に対する操作により、留守番電話機能、特定番号ガード機能、公衆電話ガード機能、非通知ガード機能、表示圏外ガード機能、着信音種別、子機１５０以外の子機からの呼出音種別、着信音又は呼出音の音量レベル、子機用表示部１５４のコントラストなどを設定するための情報。例えば、各種設定画面）、などである。
【００３４】
操作部１５５は、図２（ａ）に示したように、数字や文字の入力などを行うためのダイヤルキー１５５ａ、発呼および通話の開始などを行うための通話キー１５５ｂ、通話の終了などを行うための終話キー１５５ｃ、通話の保留などを行うための保留キー１５５ｅ、他の子機（図示しない）の呼出などを行うための呼出キー１５５ｆ、電話帳メモリ１５３の登録・検索や各種モードの設定を行うための選択／決定キー１５５ｄからなる。これらの各種キーが操作されると操作されたキー種別を示す信号が主制御部１５１に送信される。主制御部１５１は、当該信号に応じて制御プログラムを実行することにより操作内容を判別し、操作内容に応じた機能を実現させるための処理を実行する。
【００３５】
赤外線受信部１０６は、親機１００の赤外線送信部１０５から出力された赤外線を受光することによって赤外線データ、すなわち上述の元データを受信し、元データを表示制御部１０７に出力する。
【００３６】
表示制御部１０７は、ＣＰＵを中心に構成され、ＲＯＭ、ＲＡＭなどのメモリを備えている。表示制御部１０７は、ＣＰＵがＲＯＭに格納されている各種制御プログラムを読み出し、必要に応じてＲＡＭを使用しつつ、プログラムを実行することにより、親機用表示部１０８の表示制御を行う。具体的には、表示制御部１０７は、赤外線受信部１０６から元データが入力されると、元データを解析し、液晶表示装置や有機ＥＬ（electro-luminescence）表示装置等で構成される親機用表示部１０８に親機用表示情報を表示させる。
【００３７】
表示制御部１０７は、所定時間、赤外線受信部１０６から元データが入力されない場合（例えば、赤外線通信が不良である場合）に、赤外線によるデータの送受信ができない旨を示すエラーメッセージを親機用表示部１０８に表示させる。例えば、「正しく子機を親機にセットして下さい」などのエラーメッセージを表示させる。なお、表示制御部１０７は、赤外線通信状態が不良である場合には、エラーメッセージを表示させる代わりに、親機用表示部１０８に一切情報を表示させないこととしてもよい。
【００３８】
なお、子機１５０はバッテリー（図示しない）を備えており、バッテリーは子機１５０の各部に電源を供給する。バッテリーは、親機１００の載置部に子機１５０が載置された際に、親機１００の載置部と子機１５０にそれぞれ設けられた充電端子（図示しない）を介して子機１５０に供給される電源により充電される。また、親機１００の主制御部１０１及び子機１５０の主制御部１５１は、充電回路（図示しない）から出力される各々の充電端子が互いに接触しているかを示す信号に基づいて、親機１００の載置部に子機１５０が載置されているか否かを判別することができる。
【００３９】
なお、第１実施形態のコードレス親子電話機１は本発明の親子電話機の一例である。また、子機１５０の親機用表示部１０８は本発明の表示部の一例であり、赤外線受信部１０６は本発明の受信手段の一例であり、また、表示制御部１０７は本発明の表示制御手段の一例である。更に、親機１００の主制御部１０１は本発明の生成手段の一例であり、赤外線送信部１０５は本発明の送信手段の一例である。
【００４０】
次に、図４を参照して、本実施形態における子機１５０の動作について説明する。図４は、本実施形態における子機１５０の動作を示すフローチャートである。なお、当該フローチャートは、子機１５０の電源がリセットされること、子機１５０に充電済みバッテリーが新たにセットされること、又は子機１５０にセットされているバッテリーが充電不十分状態から充電十分状態に遷移したこと等を契機として開始される。
【００４１】
まず、子機１５０の表示制御部１０７は、時間計測を開始する（ステップＳ１０１）。次いで、表示制御部１０７は、赤外線受信部１０６が親機１００の赤外線送信部１０５から赤外線データ（元データ）を受信したか否かを判別する（ステップＳ１０２）。具体的には、表示制御部１０７は赤外線受信部１０６から元データが入力されたか否かを判別する。このとき、表示制御部１０７は、赤外線受信部１０６が赤外線データ（元データ）を受信したと判別したときには（ステップＳ１０２：ＹＥＳ）、受信した赤外線データ（元データ）を解析する（ステップＳ１０３）。次いで、表示制御部１０７は、解析結果に基づいて、赤外線データ（元データ）の内容に応じた親機用表示情報を親機用表示部１０８に表示させ（ステップＳ１０４）、ステップＳ１０１の処理に移行する。なお、表示制御部１０７は、ステップＳ１０４の処理からステップＳ１０１の処理に移行した場合には、計測時間をリセットして０から計測を再開する。
【００４２】
一方、表示制御部１０７は、ステップＳ１０２の処理において、赤外線受信部１０６が赤外線データ（元データ）を受信していないと判別したときには（ステップＳ１０２：ＮＯ）、ステップＳ１０１の処理で時間計測を開始してから所定時間が経過したか否かを判別する（ステップＳ１０５）。このとき、表示制御部１０７は、所定時間が経過していないと判別したときには（ステップＳ１０５：ＮＯ）、ステップＳ１０２の処理に移行する。一方、表示制御部１０７は、所定時間が経過したと判別したときには（ステップＳ１０５：ＹＥＳ）、親機用表示部１０８に上述したエラーメッセージを表示させ（ステップＳ１０６）、ステップＳ１０１の処理に移行する。なお、表示制御部１０７は、ステップＳ１０６の処理からステップＳ１０１の処理に移行した場合には、計測時間をリセットして０から計測を再開する。
【００４３】
以上説明したように、第１実施形態におけるコードレス親子電話機１は、電話回線網に接続された親機１００と、当該親機１００を介して通話相手と通話可能であって、且つ、当該親機１００に設けられた載置部に載置可能な子機１５０とを有する。子機１５０は、親機１００の載置部に載置された際にユーザから視認可能な位置（すなわち、背面）に親機用表示部１０８が設けられているとともに、赤外線受信部１０６が親機用表示部１０８に親機用表示情報を表示するための元データを受信し、表示制御部１０７が受信した元データに基づいて親機用表示部１０８に親機用表示情報を表示させる。また、親機１００は、主制御部１０１が元データを生成し、赤外線送信部１０５が当該生成された元データを子機１５０の赤外線受信部１０６に対して送信する。
【００４４】
したがって、第１実施形態におけるコードレス親子電話機１によれば、従来、親機１００に設けられていた表示部を子機１５０に移設することにより、操作部１０４を構成する各種ボタンの大きさや配置を多様化でき、操作部１０４のデザイン自由度を向上させることができる。また、各種ボタンを大きくしたり適当な位置に配置したりすることにより操作性を向上させることができる。更に、コードレス親子電話機１によれば、別個の表示装置を必要としない。更にまた、親機用表示部１０８を子機１５０に移設することにより、親機１００を小型化することもできる。
【００４５】
また、第１実施形態における子機１５０の受話口１５７ａ及び送話口１５６ａは、子機１５０が親機１００の載置部に載置された際に当該載置部と対向する操作面に設けられているとともに、親機用表示部１０８が背面に設けられている。したがって、子機１５０を親機１００の載置部に載置する際、背面が上向きになるように載置すると、操作面が下向きになることから、受話口１５７ａ及び送話口１５６ａに埃が溜まりにくく衛生的である。
【００４６】
また、第１実施形態におけるコードレス親子電話機１は、親機１００から子機１５０へ元データを送信する際、赤外線送信部１０５と赤外線受信部１０６とによる赤外線通信を利用する。赤外線送信部１０５と赤外線受信部１０６を構成する赤外線ユニットは他の無線装置と比較して安価であることから、コスト面で優位となる。
【００４７】
また、図３に示すように、第１実施形態における子機１５０において、赤外線受信部１０６、表示制御部１０７及び親機用表示部１０８からなるユニットは、主制御部１５１など従来の子機が備える他の部材から独立している。したがって、第１実施形態における子機１５０を作成する場合、従来の子機に当該ユニットを組み込むだけで済み、コストを抑制することができる。
【００４８】
なお、親機１００の制御部１０１は、通話状態にある場合には、赤外線データを出力しないこととしてもよい。これにより、通話状態にある場合に親機用表示部１０８に情報が表示されてしまうことを回避することができる。
【００４９】
また、赤外線送信部１０５、赤外線受信部１０６の代わりに、親機１００と子機１５０の双方に、子機１５０を親機１００の載置台に載置した際に、互いに接触するような通信用接触端子を設け、当該通信用接触端子を介して親機１００から子機１５０に元データを送信する構成としてもよい。通信用接触端子は他の無線装置と比較して安価であることからコスト面で優位となるとともに、通信安定性についても優れる。
【００５０】
また、第１実施形態におけるコードレス親子電話機１は、従来、親機１００に設けられていた表示部を子機１５０に移設し、親機１００には表示部を一切設けない構成となっているが、これに代えて、親機１００に従来の表示部より小さな表示部を一部残し、当該小さな表示部に特定の情報を表示させ（例えば、上述した親機表示情報における設定情報のうちアイコン等で表示できる情報をアイコンで表示させる）、その他の情報を、子機１００に移設した表示部で表示させる構成としてもよい。当該構成とした場合にも、従来よりも親機の表示部を小さくすることができることから、操作部のデザイン自由度及び操作性を向上させることできる。
【００５１】
［第２実施形態］
次に、第２実施形態について図５等を用いて説明する。図５は第２実施形態におけるコードレス親子電話機１Ｂのブロック図である。なお、第２実施形態においては、第１実施形態において説明した部材と同一の部材について、同一の符号を付することによって一部その説明を省略し、第１実施形態と異なる部分を中心に説明する。
【００５２】
第２実施形態は、子機１５０Ｂの親機用表示部１０８及び子機用表示部１５４に親機用表示情報を表示する点で第１実施形態と異なる。すなわち、親機１００の載置部に子機１５０Ｂが操作面（子機用表示部１５４が設けられている面）を上向きにして載置された場合には、ユーザは子機用表示部１５４に表示される親機用表示情報を視認することができ、一方、背面（親機用表示部１０８が設けられている面）を上向きにして載置された場合には、ユーザは親機用表示部１０８に表示される親機用表示情報を視認することができる。
【００５３】
図５に示すように、親機１００の構成は第１実施形態における親機１００の構成と同様である。一方、第２実施形態における子機１５０Ｂは、赤外線受信部１０６が主制御部１５１と接続されている点で第１実施形態と異なる。すなわち、第１実施形態においては、赤外線受信部１０６により受信された赤外線データ（元データ）は表示制御部１０７に出力され、表示制御部１０７が元データを解析して親機用表示部１０８の表示を制御していた。これに対して、第２実施形態においては、赤外線受信部１０６により受信された赤外線データ（元データ）は主制御部１５１に出力され、主制御部１５１は、親機用表示部１０８の表示を制御させるために表示制御部１０７に元データを転送するとともに、自らが元データを解析して子機用表示部１５４に親機用表示情報を表示させるための処理を行う。
【００５４】
なお、第２実施形態のコードレス親子電話機１は本発明の親子電話機の一例である。また、子機１５０の親機用表示部１０８は本発明の表示部の一例であり、赤外線受信部１０６は本発明の受信手段の一例であり、また、主制御部１５１及び表示制御部１０７は本発明の表示制御手段の一例である。更に、親機１００の主制御部１０１は本発明の生成手段の一例であり、赤外線送信部１０５は本発明の送信手段の一例である。
【００５５】
次に、図６を参照して、第２実施形態における子機１５０Ｂの動作について説明する。図６は、第２実施形態における子機１５０Ｂの動作を示すフローチャートである。なお、当該フローチャートは、子機１５０Ｂにセットされているバッテリーが充電十分状態である場合において、子機１５０Ｂが親機１００の載置部に載置されたと主制御部１５１が判別することを契機として開始される。
【００５６】
まず、子機１５０Ｂの主制御部１５１は、時間計測を開始する（ステップＳ２０１）。次いで、主制御部１５１は、赤外線受信部１０６が親機１００の赤外線送信部１０５から赤外線データ（元データ）を受信したか否かを判別する（ステップＳ２０２）。具体的には、主制御部１５１は赤外線受信部１０６から元データが入力されたか否かを判別する。このとき、主制御部１５１は、赤外線受信部１０６が赤外線データ（元データ）を受信したと判別したときには（ステップＳ２０２：ＹＥＳ）、自ら受信した赤外線データ（元データ）を解析するとともに、赤外線データ（元データ）を表示制御部１０７に転送して解析させる（ステップＳ２０３）。
【００５７】
次いで、主制御部１５１は、解析結果に基づいて、赤外線データ（元データ）の内容に応じた親機用表示情報を子機用表示部１５４に表示させ、同様に、表示制御部１０７は、解析結果に基づいて、赤外線データ（元データ）の内容に応じた親機用表示情報を親機用表示部１０８に表示させる（ステップＳ２０４）。ステップＳ２０４の処理が終了すると、ステップＳ２０１の処理に移行する。なお、主制御部１５１は、ステップＳ２０４の処理からステップＳ２０１の処理に移行した場合には、計測時間をリセットして０から計測を再開する。
【００５８】
一方、主制御部１５１は、ステップＳ２０２において、赤外線受信部１０６が赤外線データ（元データ）を受信していないと判別したときには（ステップＳ２０２：ＮＯ）、ステップＳ２０１で時間計測を開始してから所定時間が経過したか否かを判別する（ステップＳ２０５）。このとき、主制御部１５１は、所定時間が経過していないと判別したときには（ステップＳ２０５：ＮＯ）、ステップＳ２０２に移行する。一方、主制御部１５１は、所定時間が経過したと判別したときには（ステップＳ２０５：ＹＥＳ）、子機用表示部１５４にエラーメッセージを表示させるとともに、表示制御部１０７を介して親機用表示部１０８にエラーメッセージを表示させる（ステップＳ２０６）。ステップＳ２０６の処理が終了すると、ステップＳ２０１の処理に移行する。なお、主制御部１５１は、ステップＳ２０６の処理からステップＳ２０１の処理に移行した場合には、計測時間をリセットして０から計測を再開する。
【００５９】
なお、図６のフローチャートには示さなかったが、主制御部１５１は、ユーザの操作部１５５に対する操作等に基づいて子機用表示情報を子機用表示部１５４に表示すべき場合には、赤外線データ（元データ）を親機１００から受信した場合であっても、子機用表示情報を優先して子機用表示部１５４に表示させる。
【００６０】
以上説明したように、第２実施形態におけるコードレス親子電話機１Ｂは、電話回線網に接続された親機１００と、当該親機１００を介して通話相手と通話可能であって、且つ、当該親機１００に設けられた載置部に載置可能な子機１５０Ｂとを有する。子機１５０Ｂは、親機１００の載置部に載置された際にユーザから視認可能な位置（すなわち、背面）に親機用表示部１０８が設けられているとともに、赤外線受信部１０６が親機用表示部１０８に親機用表示情報を表示するための元データを受信し、主制御部１５１及び表示制御部１０７が受信した元データに基づいて親機用表示部１０８に親機用表示情報を表示させる。また、親機１００は、主制御部１０１が元データを生成し、赤外線送信部１０５が当該生成された元データを子機１５０Ｂの赤外線受信部１０６に対して送信する。
【００６１】
したがって、第２実施形態におけるコードレス親子電話機１Ｂによれば、従来、親機１００に設けられていた表示部を子機１５０Ｂに移設することにより、操作部１０４を構成する各種ボタンの大きさや配置を多様化でき、操作部１０４のデザイン自由度を向上させることができる。また、各種ボタンを大きくしたり適当な位置に配置したりすることにより操作性を向上させることができる。更に、コードレス親子電話機１Ｂによれば、別個の表示装置を必要としない。更にまた、親機用表示部１０８を子機１５０Ｂに移設することにより、親機１００を小型化することもできる。
【００６２】
また、第２実施形態におけるコードレス親子電話機１Ｂは、親機１００から子機１５０Ｂへ元データを送信する際、赤外線送信部１０５と赤外線受信部１０６による赤外線通信を利用する。赤外線送信部１０５と赤外線受信部１０６を構成する赤外線ユニットは他の無線装置と比較して安価であることから、コスト面で優位となる。
【００６３】
また、第２実施形態におけるコードレス親子電話機１Ｂによれば、ユーザは、子機１５０Ｂを操作面が上向きになるように親機１００の載置部に載置した場合には、子機用表示部１５４に表示される親機表示情報を視認することができ、一方、子機１５０Ｂを背面が上向きになるように載置した場合には、親機用表示部１０８に表示される親機表示情報を視認することができる。すなわち、ユーザは、操作面又は背面のいずれの面が上向きになるように子機１５０Ｂを載置しても親機表示情報を視認することができる。
【００６４】
また、親機１００の制御部１０１は、通話状態にある場合には、赤外線データを出力しないこととしてもよい。これにより、通話状態にある場合に親機用表示部１０８に情報が表示されてしまうことを回避することができる。
【００６５】
なお、本実施形態においては、親機１００から子機１５０Ｂに赤外線通信により元データを送信する構成としたが、それぞれ無線部１０２、１５２を用いて無線通信により送信する構成としてもよい。赤外線通信の場合、赤外線送信部１０５と赤外線受信部１０６との間に赤外線を遮るものがあると通信不良となるおそれがあるが、無線通信によれば、無線部１０２と無線部１５２のとの間に遮蔽物（電波を遮蔽するものを除く）があっても通信が可能であるという優位性がある。
【００６６】
また、赤外線送信部１０５、赤外線受信部１０６の代わりに、親機１００と子機１５０Ｂの双方に、子機１５０Ｂを親機１００の載置台に載置した際に、互いに接触するような通信用接触端子を設け、当該通信用接触端子を介して親機１００から子機１５０Ｂに元データを送信する構成としてもよい。通信用接触端子は他の無線装置と比較して安価であることからコスト面で優位となるとともに、通信安定性についても優れる。また、新たに通信用接触端子を設ける代わりに、上述した充電端子を介して元データを送信する構成としてもよい。
【００６７】
また、第２実施形態においては、親機表示情報を子機用表示部１５４及び親機用表示部１０８の双方に表示させることとしているが、子機１５０Ｂが親機１００の載置部に載置された際、操作面又は背面のうちどちらの面が上向きとなるように載置されたかを、主制御部１５１が判別できる公知の構成（例えば、重力センサー）を設け、主制御部１５１は操作面が上向きになるように載置されたと判別した場合には親機表示情報を子機用表示部１５４に表示させ、一方、背面が上向きになるように載置されたと判別した場合には親機表示情報を親機用表示部１０８に表示させることとしてもよい。これにより、子機用表示部１５４及び親機用表示部１０８の双方で親機表示情報を表示する場合と比較して、消費電力を抑制することができる。
【００６８】
また、第２実施形態においては、子機１５０Ｂが子機用表示部１５４及び親機用表示部１０８の双方の表示部を有する構成となっているが、表示部として子機用表示部１５４のみを有し、操作部１５５に対する操作が検出されない場合（すなわち、子機表示情報を表示する必要がない場合）には、子機用表示部１５４に親機表示情報を表示する構成としてもよい。当該構成とした場合には、子機１５０Ｂの操作面が上向きになるように載置するようユーザに注意を促す必要があるが、表示制御部１０７及び親機用表示部１０８を子機１５０Ｂに設けなくてもよいことから、コストを抑制することができる。
【００６９】
［第３実施形態］
次に、第３実施形態について図７を用いて説明する。図７は第３実施形態における電話機２のブロック図である。
【００７０】
第３実施形態における電話機２は、電話機本体２００と、電話機本体２００と有線接続され、且つ、電話機本体２００の載置部に載置可能な受話器２５０とを有する。電話機２は公衆交換電話網（ＰＳＴＮ）などの外部の電話回線網（電話回線ともいう）に接続されている。電話機本体２００には、ユーザが電話機２の備える機能を利用する際に各種指示を入力するために用いる操作部２０４が設けられている。また、受話器２５０は受話器２５０を電話機本体２００の載置部に載置した際にユーザが視認可能な位置（背面）に表示部２５２を有しており、受話器２５０が電話機本体２００の載置部に載置された際に、ユーザが表示部２５２に表示される表示情報を視認できるようになっている。
【００７１】
図７に示すように、電話機本体２００は、主制御部２０１、無線部２０２、電話帳メモリ２０３及び操作部２０４を有し、受話器２５０は、表示制御部２５１、表示部２５２、マイクロフォン２５３及びレシーバ２５４を有している。
【００７２】
主制御部２０１は、ＣＰＵを中心に構成され、ＲＯＭ、ＲＡＭなどのメモリを備えており、ＣＰＵがＲＯＭに格納されている各種制御プログラムを読み出し、必要に応じてＲＡＭを使用しつつ、プログラムを実行することにより、電話機２の各種制御を行う。
【００７３】
具体的には、主制御部２０１は、電話回線網から外部着信信号を検出すると、外線との回線接続を制御するとともに、着信音をスピーカ（図示しない）から発音させる。次いで、主制御部２０１は、相手先の電話機と通話状態となると、電話回線網を介して受信した受信信号を音声信号に変換し、当該音声信号をアナログ信号に変換した上でレシーバ２５４から出力させる。また、マイクロフォン２５３により集音されたユーザの発話音声を音声信号に変換し、当該音声信号を電話回線網で通信可能な形式に変換した上で相手先の電話機に送信する。
【００７４】
主制御部２０１は、第１実施形態において詳述した各種親機用表示情報と同様の表示情報を表示部２５２に表示するための元データを生成し、表示制御部２５１に送信する。
【００７５】
無線部２０２は、主制御部２０１の制御の下、マルチチャンネルアクセス方式によって子機（図示しない）との間に無線による通話リンクを確立させて、通話状態においてアンテナを介して音声信号等を送受信する。なお、無線部２０２は、子機との間で音声信号等を送受信する場合に、公知の盗聴防止技術を用いる。
【００７６】
電話帳メモリ２０３は、例えば、フラッシュメモリなどで構成され、ユーザによる電話帳登録操作に基づいて、電話番号を名称等と対応付けて記憶する。電話帳メモリ２０３に登録された情報は、ユーザの操作に基づいて、表示部２５２に表示される。
【００７７】
操作部２０４は、数字や文字の入力などを行うためのダイヤルキー、通話の保留などを行うための保留キー、子機（図示しない）の呼出などを行うための呼出キー、電話帳の登録／検索や各種モードの設定を行うための選択／決定キーなどから構成される。これらの各種キーが操作されると操作されたキー種別を示す信号が主制御部２０１に送信される。主制御部２０１は、当該信号に応じて制御プログラムを実行することにより操作内容を判別し、操作内容に応じた機能を実現させるための処理を実行する。
【００７８】
表示制御部２５１は、ＣＰＵを中心に構成され、ＲＯＭ、ＲＡＭなどのメモリを備えている。表示制御部２５１は、主制御部２０１の制御の下、ＣＰＵがＲＯＭに格納されている各種制御プログラムを読み出し、必要に応じてＲＡＭを使用しつつ、プログラムを実行することにより、表示部２５２の表示制御を行う。具体的には、表示制御部２５１は、主制御部２０１から元データが入力されると、元データを解析し、液晶表示装置等などで構成される表示部２５２に表示情報を表示させる。
【００７９】
電話機本体２００の載置部には機械式スイッチ（図示しない）が設けられており、載置部に受話器２５０が載置されている間、機械式スイッチは載置信号を主制御部２０１に出力し続ける。主制御部２０１は、機械式スイッチから載置信号が入力され続けている間は、載置部に受話器２５０が載置されていると判断する。
【００８０】
なお、第３実施形態の電話機２は本発明の電話機の一例であり、表示部２５２は本発明の表示部の一例であり、主制御部２０１は本発明の生成手段の一例であり、表示制御部２５１は本発明の表示制御手段の一例である。
【００８１】
第３実施形態における電話機２は、従来、電話機本体に設けられていた表示部を、電話機本体と有線接続された受話器に移設したことを特徴とするものであって、電話機２の動作は、公知の電話機と同様である。したがって、電話機２の動作については説明を省略する。
【００８２】
以上説明したように、第３実施形態における電話機２は、受話器２５０と、受話器２５０を載置するための載置部と、情報を表示する表示部２５２と、表示部２５２に情報を表示するための元データを生成する主制御部２０１と、生成された元データに基づいて表示部に情報を表示させる表示制御部２５１と、を備え、表示部２５２は、受話器２５０における、当該受話器２５０が載置部に載置された際にユーザから視認可能な位置に設けられている。
【００８３】
したがって、第３実施形態における電話機２によれば、従来、電話機本体２００に設けられていた表示部を受話器２５０に移設することにより、操作部２０４を構成する各種ボタンの大きさや配置を多様化でき、操作部２０４のデザイン自由度を向上させることができる。また、各種ボタンを大きくしたり適当な位置に配置したりすることにより操作性を向上させることができる。更に、電話機２によれば、別個の表示装置を必要としない。更にまた、表示部２５２を受話器２５０に移設することにより、電話機本体２００を小型化することもできる。
【符号の説明】
【００８４】
１、１Ｂ  コードレス親子電話機
１００  親機
１０１  親機／主制御部
１０２  親機／無線部
１０３  親機／電話帳メモリ
１０４  親機／操作部
１０５  親機／赤外線送信部
１５０、１５０Ｂ  子機
１０６  子機／赤外線受信部
１０７  子機／表示制御部
１０８  子機／親機用表示部
１５１  子機／主制御部
１５２  子機／無線部
１５３  子機／電話帳メモリ
１５４  子機／子機用表示部
１５５  子機／操作部
１５６  子機／マイクロフォン
１５７  子機／レシーバ
２  電話機
２００  電話機本体
２０１  電話機本体／主制御部
２０２  電話機本体／無線部
２０３  電話機本体／電話帳メモリ
２０４  電話機本体／操作部
２５０  受話器
２５１  受話器／表示制御部
２５２  受話器／表示部
２５３  受話器／マイクロフォン
２５４  受話器／レシーバ
【図１】
2011087062.tif 000003
【図２】
2011087062.tif 000004
【図３】
2011087062.tif 000005
【図４】
2011087062.tif 000006
【図５】
2011087062.tif 000007
【図６】
2011087062.tif 000008
【図７】
2011087062.tif 000009